(57)【要約】【課題】眩しさを低減すること。【解決手段】実施形態に係る照明装置は、光源と、反射モジュールとを具備する。反射モジュールは、光源の光の出射方向側に設けられ、光源の光を反射して外部へ出射する。反射モジュールは、光源の光を第１方向に反射させる第１反射部と、第１反射部によって反射された第１方向の光を第２方向に反射させる第２反射部と有する。【選択図】図５
2020123473.tif 000002
【特許請求の範囲】
【請求項１】
光源と；
前記光源の光の出射方向側に設けられ、前記光源の光を反射して外部へ出射する反射モジュールと；
を具備し、
前記反射モジュールは、
前記光源の光を第１方向に反射させる第１反射部と、
前記第１反射部によって反射された前記第１方向の光を第２方向に反射させる第２反射部とを有する
ことを特徴とする照明装置。
【請求項２】
前記第１反射部は、
前記光源に対して凹状の曲面である第１反射面を有する
ことを特徴とする請求項１に記載の照明装置。
【請求項３】
前記第１反射面は、
焦点が前記光源であり、準線が前記光源の実装面に対して交差する方向となる放物面である
ことを特徴とする請求項２に記載の照明装置。
【請求項４】
前記反射モジュールは、
前記第１反射部および前記第２反射部のうち、少なくとも１つの反射部の端部によって前記光源を覆う
ことを特徴とする請求項１〜３のいずれか１つに記載の照明装置。
【請求項５】
前記第１反射部のうち、前記光源に近い側の領域に設けられる光拡散部；
を具備することを特徴とする請求項１〜４のいずれか１つに記載の照明装置。
【請求項６】
前記第２反射部は、
前記光源から見て前記第１反射部とは反対側の位置に設けられる遮光部を有する
ことを特徴とする請求項１〜５のいずれか１つに記載の照明装置。
【発明の詳細な説明】
【技術分野】
【０００１】
本発明の実施形態は、照明装置に関する。
【背景技術】
【０００２】
従来、壁面などを照射する照明装置が知られている。この種の照明装置では、例えば、微細な凹凸を有する反射面により光源の光を拡散反射することで、壁面を照射する技術がある（例えば、特許文献１参照）。
【先行技術文献】
【特許文献】
【０００３】
【特許文献１】特開２０１８−１２９１９９号公報
【発明の概要】
【発明が解決しようとする課題】
【０００４】
しかしながら、従来技術では、光源の光を制御する部材としてレンズを用いた場合、反射面であるレンズ表面に光源の像が見えることで、眩しさを感じるおそれがあった。
【０００５】
本発明が解決しようとする課題は、眩しさを低減することができる照明装置を提供することを目的とする。
【課題を解決するための手段】
【０００６】
実施形態に係る照明装置は、光源と、反射モジュールとを具備する。前記反射モジュールは、前記光源の光の出射方向側に設けられ、前記光源の光を反射して外部へ出射する。前記反射モジュールは、前記光源の光を第１方向に反射させる第１反射部と、前記第１反射部によって反射された前記第１方向の光を第２方向に反射させる第２反射部とを有する。
【図面の簡単な説明】
【０００７】
【図１】図１は、実施形態に係る照明装置の斜視図である。
【図２】図２は、実施形態に係る照明装置の内部の斜視図である。
【図３】図３は、実施形態に係る照明装置の一部の分解斜視図である。
【図４】図４は、反射モジュールと、電源装置との位置関係を示す図である。
【図５】図５は、実施形態に係る照明装置の断面図である。
【図６】図６は、第１反射面および第２反射面による光の進路を説明する図である。
【発明を実施するための形態】
【０００８】
以下で説明する実施形態に係る照明装置１は、光源２０と、反射モジュール４とを具備する。反射モジュール４は、光源２０の光の出射方向側に設けられ、光源２０の光を反射して外部へ出射する。反射モジュール４は、光源２０の光を第１方向に反射させる第１反射部４１と、第１反射部４１によって反射された第１方向の光を第２方向に反射させる第２反射部４２とを有する。
【０００９】
以下で説明する実施形態に係る照明装置１において、第１反射部４１は、光源２０に対して凹状の曲面である第１反射面４１ａを有する。
【００１０】
以下で説明する実施形態に係る照明装置１において、第１反射面４１ａは、焦点が光源２０であり、準線が光源２０の実装面に対して交差する方向となる放物面である。
【００１１】
以下で説明する実施形態に係る照明装置１において、反射モジュール４は、第１反射部４１および第２反射部４２のうち、少なくとも１つの反射部の端部によって光源２０を覆う。
【００１２】
以下で説明する実施形態に係る照明装置１は、第１反射部４１のうち、光源２０に近い側の領域に設けられる光拡散部４３を具備する。
【００１３】
以下で説明する実施形態に係る照明装置１において、第２反射部４２は、光源２０から見て第１反射部４１とは反対側の位置に設けられる遮光部４２ｂを有する。
【００１４】
以下で説明する実施形態に係る照明装置１は、カバー部２（筐体の一例）と、基板５と、電源装置７と、配線１００とを具備する。基板５は、カバー部２内に配置され、一方の主面に光源２０が実装される。電源装置７は、カバー部２内において、基板５における他方の主面に対して離間して配置される。配線１００は、カバー部２内において、基板５および電源装置７の間に配置される。
【００１５】
以下で説明する実施形態に係る照明装置１において、電源装置７は、基板５における他方の主面と対向する対向面７１と、対向面７１の端部と連続する傾斜面であって、先端に向かうほど基板５から遠くなる傾斜面７２ａ，７２ｂを有する。配線１００は、傾斜面７２ａ，７２ｂに沿って配置される。
【００１６】
以下で説明する実施形態に係る照明装置１において、電源装置７は、対向面７１の両端に傾斜面を有し、一方の傾斜面７２ａ側には、配線１００が配置され、他方の傾斜面７２ｂ側には、基板５を固定する固定部材５２が配置される。
【００１７】
以下で説明する実施形態に係る照明装置１において、カバー部２は、長尺である。配線１００は、カバー部２における長手方向に沿うとともに、長手方向の端部まで延在する。
【００１８】
（実施形態）
まず、図１〜図３を用いて、実施形態に係る照明装置の構成について説明する。図１は、実施形態に係る照明装置１の斜視図である。図２は、実施形態に係る照明装置１の内部の斜視図である。図３は、実施形態に係る照明装置１の一部の分解斜視図である。図２では、照明装置１のうちカバー部２を除いた内部構成を示している。図３では、照明装置１のうちカバー部２およびキャップ部３ａ，３ｂを除いた内部構成を示している。
【００１９】
実施形態に係る照明装置１は、壁面等の被照射体に対して上方側に配置され、下方に向けて光を出射する、いわゆるダウンライトである。図１〜図３に示すように、実施形態に係る照明装置１は、カバー部２（筐体の一例）と、キャップ部３ａ，３ｂと、反射モジュール４と、基板５と、取付台６と、電源装置７と、シャーシ８と、配線１００（図５参照）とを備える。
【００２０】
カバー部２は、例えば、長尺の筐体であり、透光性を有する。例えば、カバー部２は、アクリル等の樹脂材料で構成される。また、カバー部２は、長手方向の両端が開口した筒状であり、筒状の内部には、反射モジュール４（４−１〜４−５）、基板５（５−１〜５−５）、取付台６、電源装置７、シャーシ８および配線１００が収容される。
【００２１】
キャップ部３ａ，３ｂは、カバー部２の長手方向における開口を塞ぐ蓋として機能する。また、キャップ部３ａ，３ｂには、配線１００に接続されるリード線や、配線１００と外部電源とを接続するための端子等が設けられる。
【００２２】
反射モジュール４は、後述の光源２０の光の出射方向側（図１〜図３における紙面上方向側）に設けられ、光源２０の光を反射して外部へ出射する。また、図２に示すように、反射モジュール４は、照明装置１の長手方向に沿って複数設けられる。図２では、５つの反射モジュール４−１〜４−５が設けられる場合を示しているが、反射モジュール４の数は任意であってよい。つまり、１つの長い反射モジュールを用いるのではなく、短い反射モジュール４を複数配置することで、光源２０の発熱による反射モジュール４の変形を抑えることができる。
【００２３】
なお、複数の反射モジュール４それぞれは、第１反射部４１および第２反射部４２を備えるが、反射モジュール４の詳細な構成については、図５および図６で後述する。
【００２４】
図３に示すように、基板５は、光源２０が実装される回路基板である。具体的には、基板５は、反射モジュール４側である一方の主面（以下、実装面と記載する場合がある）に光源２０が実装される。より具体的には、基板５の実装面には、複数の光源２０が長手方向に沿って並んで配置される。
【００２５】
図３に示すように、基板５は、照明装置１の長手方向に沿って複数設けられ、各基板５−１〜５−５は、各反射モジュール４−１〜４−５の位置に対応している。また、複数の基板５−１〜５−５は、後述の配線１００によって電気的に連結している。
【００２６】
取付台６は、反射モジュール４、基板５、電源装置７およびシャーシ８を固定する部材である。反射モジュール４、基板５、電源装置７およびシャーシ８は、例えば、ネジやリベット等の固定部材によって取付台６に固定される。
【００２７】
具体的には、反射モジュール４は、４角が固定部材５１によって取付台６に固定される。基板５は、長手方向に沿う３箇所において固定部材５２で固定される。電源装置７は、長手方向における両端において固定部材７ａでシャーシ８に固定される。なお、取付台６およびシャーシ８は図示しない固定部材によって固定される。なお、図３に示す固定部材５１，５２，７ａの数や配置は一例であって、任意の数および配置を採用可能である。
【００２８】
電源装置７は、光源２０の駆動電力を基板５に供給する。電源装置７は、配線１００を介して外部電源に接続されるとともに、配線１００により各基板５−１〜５−５に接続される。これにより、電源装置７は、外部電源から供給される電力に基づいて基板５へ駆動電力を供給する。
【００２９】
また、電源装置７は、複数の反射モジュール４−１〜４−５のうち、いずれか一の反射モジュール（図３では、反射モジュール４−２）に対応する位置に設けられる。図４は、反射モジュール４−２と、電源装置７との位置関係を示す図である。
【００３０】
図４に示すように、電源装置７は、反射モジュール４−２に対して鉛直方向（図４では、直下）の位置に設けられる。具体的には、電源装置７は、反射モジュール４−２と取付台６とを固定する固定部材５１の内側に収まるように配置される。
【００３１】
つまり、電源装置７は、固定部材５１の電源装置７側への突出部分を避けた位置に設けられる。これにより、固定部材５１の突出長さの分だけ電源装置７と取付台６との間隔を詰めることができるため、小型化を実現できる。
【００３２】
なお、電源装置７は、断面視における外形を台形状にすることで、配線１００のスペースを確保し、照明装置１の小型化を実現するが、かかる点については、図５で後述する。
【００３３】
図３に戻って、シャーシ８について説明する。シャーシ８は、骨格となる枠部材であり、取付台６に固定される。これにより、取付台６の変形を低減できる。また、シャーシ８には、電源装置７が固定される。これにより、電源装置７の位置ずれや意図しない脱離を防止できる。
【００３４】
次に、図５を用いて、実施形態に係る照明装置１の断面について説明する。図５は、実施形態に係る照明装置１の断面図である。図５では、図４におけるＡ−Ａ線で切断した場合における断面を示す。
【００３５】
図５に示すように、反射モジュール４は、第１反射部４１と、第２反射部４２と、光拡散部４３とを備える。第１反射部４１は、鏡面である第１反射面４１ａによって、光源２０の光を第１方向に反射させる。第２反射部４２は、第１反射部４１によって反射された第１方向の光を鏡面である第２反射面４２ａによって、第２方向に反射させる。かかる第２方向が照明装置１における外部への光の出射方向となる。
【００３６】
光拡散部４３は、第１反射部４１に重ねて配置され、拡散面４３ａによって、光源２０の光を拡散する。具体的には、光拡散部４３は、第１反射部４１のうち、光源２０に近い側の領域に設けられる。拡散面４３ａは、例えば、白色面や、微細な凹凸等の各種拡散構造を採用可能である。このように、拡散面４３ａによって光源２０の光を拡散することで、光源２０の色むらを改善することができる。なお、拡散面４３ａに相当する拡散面を第１反射部４１の面として一体的に構成することで、光拡散部４３を省略してもよい。
【００３７】
また、図５に示すように、第１反射部４１および光拡散部４３は、固定部材５１ａによって取付台６に固定される。具体的には、第１反射部４１の取付台６側の端部４１ｃおよび光拡散部４３の取付台６側の端部４３ｂが屈曲しており、かかる端部４１ｃおよび端部４３ｂを介して固定部材５１ａで固定される。また、図５に示すように、第２反射部４２は、固定部材５１ｂによって取付台６に固定される。具体的には、第２反射部４２の取付台６側の端部４２ｃが屈曲しており、かかる端部４２ｃを介して固定部材５１ｂで固定される。
【００３８】
また、第１反射部４１の端部４１ｃとは反対側の端部４１０は、光源２０を覆う位置に設けられる。また、第２反射部４２の端部４２ｃとは反対側の端部４２０も、光源２０を覆う位置に設けられる。つまり、反射モジュール４は、第１反射部４１および第２反射部４２それぞれの端部４１０，４２０によって光源２０を覆う。これにより、人が光源２０を直視できないようになるため、眩しさを低減できる。
【００３９】
また、第１反射部４１の端部４１０は、屈曲しており、基板５に対して略平行に延在する。これにより、光源２０がより見えにくくなるため、眩しさをさらに低減でき、かつ、照明装置１の小型化（図５の紙面上方向の長さの短縮化）を実現できる。また、第２反射部４２の端部４２０は、屈曲しており、先端に向かうほど基板５から離れる方向に延在する。これにより、端部４２０に当たる光源２０の光は、第１反射部４１側へ反射され易くなるため、照明装置１の出射効率を高めることができる。
【００４０】
なお、図５では、反射モジュール４は、第１反射部４１および第２反射部４２それぞれの端部４１０，４２０によって光源２０を覆う場合を示したが、第１反射部４１および第２反射部４２のうち、少なくとも１つの反射部の端部によって光源２０を覆ってもよい。
【００４１】
また、図５に示すように、第１反射部４１の第１反射面４１ａは、光源２０に対して凹状の曲面である。これにより、より多くの光源２０の光を第２反射面４２ａ側へ反射できるため、照明装置１の出射効率を高めることができる。
【００４２】
さらに、第１反射面４１ａを放物面として構成することで照明装置１から出射される光の出射方向や照射範囲を制御できるが、かかる点について、図６を用いて説明する。
【００４３】
図６は、第１反射面４１ａおよび第２反射面４２ａによる光の進路を説明する図である。
【００４４】
図６に示すように、光源２０の光は、第１反射面４１ａによって第１方向（図６の紙面左方向）に反射され、さらに、第２反射面４２ａによって第１方向の光が第２方向（図６の紙面上方向）に反射されることで、壁面３００に出射される。つまり、光源２０の光を第１反射面４１ａおよび第２反射面４２ａに反射させることで、人が照明装置１を見た場合に、光源２０の像が見えなくなるため、眩しさを低減できる。さらに、第２反射面４２ａは、光源２０側に寄せて配置される、換言すれば、第２反射面４２ａは、反射モジュール４の奥側に配置されるため、第２反射面４２ａ自体が人から見えにくくなり、眩しさを低減できる。
【００４５】
また、上述したように、第１反射面４１ａは、放物面として構成される。具体的には、図６に示すように、第１反射面４１ａは、焦点が光源２０であり、準線Ｌが光源２０の実装面に対して直交する方向となる放物面である。これにより、第１反射面４１ａで反射した光源２０のすべての光は、実装面と略平行な方向に反射する。つまり、第１反射面４１ａの反射方向である第１方向は、実装面と略平行な方向となる。
【００４６】
これにより、光源２０の光をすべて同じ方向（第１方向）に反射できるため、高精度な指向性を有する光を出射することができる。
【００４７】
なお、図６では、第１反射面４１ａは、準線Ｌが光源２０の実装面に対して直交する方向となる放物面を示したが、第１反射面４１ａの必要となる反射方向（第１方向）に応じて準線Ｌと実装面との角度を適宜調整可能である。つまり、第１反射面４１ａは、準線Ｌが光源２０の実装面に対して交差する方向となる放物面であればよい。
【００４８】
そして、図６では、第２反射面４２ａは、平面で構成されるとともに、第１方向の光に対して傾斜するように配置される。これにより、第１方向の光を第２方向に反射して出射した場合は、所定範囲を均一に照射する光を出射することができる。なお、第２反射面４２ａは、壁面３００等の被照射体の位置や、設定照射位置に応じた傾斜角を適宜設定可能である。
【００４９】
なお、第２反射面４２ａを平面で構成する場合に限らず、曲面で構成してもよい。例えば、第２反射面４２ａを第１反射面４１ａに対して凹状の放物面で構成した場合は、照射範囲が比較的狭いスポット光を出射することができ、第２反射面４２ａを第１反射面４１ａに対して凸状の放物面で構成した場合は、照射範囲が比較的広いワイド光を出射することができる。
【００５０】
また、図６に示すように、光源２０から見て、第１反射面４１ａとは反対側の位置には、遮光部４２ｂが設けられる。これにより、第１反射面４１ａとは反対側に出射される光源２０の光が遮光されることで、かかる光が第１反射面４１ａ側へ戻ることを抑制できるため、出射される光の輝度が不均一となることを防止できる。
【００５１】
なお、光源２０の光軸方向は、第２方向と概ね同じ方向（図６の紙面上方向）であるが、厳密には、光源２０の光軸方向と第２方向とは異なることが好ましい。具体的には、光源２０の光軸方向は、第１反射面４１ａに向かう方向であることが好ましい。これにより、遮光部４２ｂ側へ進む光量を減らすことができるため、照明装置１における出射効率を向上させることができる。また、光源２０の光軸方向が基板５に対して垂直であってもよい。これにより、光源２０の実装時に光軸方向を調整して実装する必要が無いため、作業工程を容易化できる。
【００５２】
図５に戻って、電源装置７および配線１００の位置関係について説明する。図５に示すように、電源装置７は、カバー部２内において、基板５における他方の主面（光源２０の実装面の裏面）に対して離間して配置される。
【００５３】
そして、配線１００は、カバー部２内において、基板５（取付台６）および電源装置７の間に配置される。これにより、配線１００のスペースを別途設ける必要が無いため、照明装置１の小型化を実現できる。
【００５４】
また、配線１００は、カバー部２の長手方向に沿うととともに、カバー部２の端部であるキャップ部３ａ，３ｂ（図１参照）まで延在している。つまり、照明装置１に配線１００を予め通しておくことで、配線１００を通す作業が不要になるため、施工者による作業負担を軽減できる。
【００５５】
また、電源装置７は、断面視において外形が凸状の台形状である。具体的には、電源装置７は、基板５における他方の主面側において、対向面７１と、傾斜面７２ａ，７２ｂとを有する。対向面７１は、他方の主面と対向する面であって、他方の主面と略平行な面である。傾斜面７２ａ，７２ｂは、対向面７１の両端と連続する傾斜面であって、断面視において先端に向かうほど（対向面７１から離れるほど）基板５から遠くなる傾斜面である。つまり、傾斜面７２ａ，７２ｂは、対向面７１から見て下り傾斜となる傾斜面である。
【００５６】
かかる場合、配線１００は、一方の傾斜面７２ａに沿って配置される。具体的には、配線１００は、２つの傾斜面７２ａ，７２ｂのうち、一方の傾斜面７２ａ側には、配線１００が配置され、他方の傾斜面７２ｂ側には、基板５を固定する固定部材５２が配置される。これにより、配線１００のスペースを広く確保することができるとともに、固定部材５２との接触を防ぐことができるため、配線１００の劣化を抑制できる。
【００５７】
なお、傾斜面７２ａ，７２ｂは、平面（すなわち、Ｃ面）である場合を示したが、傾斜面７２ａ，７２ｂは、曲面（すなわち、Ｒ面）であってもよい。
【００５８】
上述したように、実施形態に係る照明装置１は、光源２０と、反射モジュール４とを具備する。反射モジュール４は、光源２０の光の出射方向側に設けられ、光源２０の光を反射して外部へ出射する。反射モジュール４は、光源２０の光を第１方向に反射させる第１反射部４１と、第１反射部４１によって反射された第１方向の光を第２方向へ反射させる第２反射部４２とを有する。これにより、眩しさを低減することができる。
【００５９】
また、上述したように、実施形態に係る照明装置１は、筐体であるカバー部２と、基板５と、電源装置７と、配線１００とを具備する。基板５は、カバー部２内に配置され、一方の主面に光源２０が実装される。電源装置７は、カバー部２内において、基板５における他方の主面に対して離間して配置される。配線１００は、カバー部２内において、基板５および電源装置７の間に配置される。これにより、配線１００用のスペースを確保する必要が無くなるため、小型化を実現できる。
【００６０】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００６１】
１    照明装置
２    カバー部
３ａ，３ｂ  キャップ部
４    反射モジュール
５    基板
６    取付台
７    電源装置
８    シャーシ
２０    光源
４１    第１反射部
４１ａ  第１反射面
４２    第２反射部
４２ａ  第２反射面
４２ｂ  遮光部
４３    光拡散部
１００    配線
３００    壁面
【図１】
2020123473.tif 000003
【図２】
2020123473.tif 000004
【図３】
2020123473.tif 000005
【図４】
2020123473.tif 000006
【図５】
2020123473.tif 000007
【図６】
2020123473.tif 000008